(57)【特許請求の範囲】
【請求項１】
単独処理浄化槽に前処理槽を接続することにより、屎尿と、台所排水、洗濯排水、洗面・浴室排水等の生活雑排水の浄化処理を可能とする合併処理化装置であって、
前記前処理槽は、下流側への移流量の調節を実行する流量調整機構と、最低水位（ＬＷＬ）よりも下方に濾床が形成されている嫌気濾床とを備え、単独処理浄化槽は、少なくとも好気処理部を有し、前記前処理槽は屎尿排水配管、および台所排水、洗濯排水、洗面・浴室排水等の生活雑排水配管が連結され、単独処理浄化槽の上流側に前処理槽を配管接続したことを特徴とする合併処理化装置。
【請求項２】
前記単独処理浄化槽が、沈殿分離室と、接触ばっ気室と、沈殿室と、消毒室とを備えた既設の単独処理浄化槽である請求項１記載の合併処理化装置。
【請求項３】
前処理槽は単独処理浄化槽に接続する単独処理浄化槽内の汚水を返送する返送管を配設し、単独処理浄化槽内の汚水を前処理槽に返送するよう構成される請求項１又は２記載の合併処理化装置。
【発明の詳細な説明】
【０００１】
【発明の属する技術分野】
本発明は、屎尿と、台所排水、洗濯排水、洗面・浴室排水等の生活雑排水の浄化処理を可能とする合併処理化装置に関する。
【０００２】
【従来の技術】
従来から、屎尿の浄化を行う装置としては、単独処理浄化槽を用いている。図３は、分離接触ばっ気方式の単独処理浄化槽を示す概略断面図である。
屎尿は、流入口２から沈殿分離室３へと流入し、固液分離及び嫌気処理が行われ、接触ばっ気室４へと移流する。接触ばっ気室４内では、移流した水が散気管７から散気される空気の泡により攪拌されて接触材８に接触し、栄養基質の酸化除去が徐々に行われる。接触材８は、攪拌を継続していると生物膜が厚く堆積し閉塞するので、定期的に逆洗管９より空気泡を吐出することで生物膜を剥離させる。接触ばっ気室４を通過した水は、沈殿室５にて固形分の沈殿分離を行ってから、分離した上澄み液を消毒室６へと移流させ、滅菌処理を施した後に流出口１０より放流される構成となっている。なお、好気処理方法として接触ばっ気法を示したが、空気泡を放散して空気攪拌のみによるばっ気方法もある。
【０００３】
【発明が解決しようとする課題】
しかしながら、単独処理浄化槽は、容量が小さく処理すべき水の種類が屎尿に限定され、台所排水、洗濯排水、洗面排水及び浴室排水等の生活雑排水を処理できないとの課題を有している。
このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させていた。また、単独処理浄化槽を掘り起こすことなく、埋め殺す場合には、処分に関する問題は発生しないものの、土地の有効活用ができないとする別の問題を発生させている。
【０００４】
本発明は、上記のような課題に鑑みてなされたものであり、既設の単独処理浄化槽を有効利用することで、単独処理浄化槽の処分問題を解決すると共に、新たに合併処理浄化槽を購入するよりも安価に屎尿処理と生活雑排水処理を可能とする合併処理化装置を提供する。
【０００５】
【課題を解決するための手段】
本発明の合併処理化装置は、既設の少なくとも好気処理部を有した単独処理浄化槽を利用して、単独処理浄化槽の上流側に前処理槽を接続することにより、屎尿と、台所排水、洗濯排水、洗面・浴室排水等の生活雑排水の浄化処理を可能とする構成を有する。前処理槽は屎尿排水配管、および台所排水、洗濯排水、洗面・浴室排水等の生活雑排水配管が連結されると共に、下流側に配設する単独処理浄化槽への移流量の調節を実行する流量調整機構を備え、単独処理浄化槽への移流量を調節して確実な好気処理を実行する。また、前処理槽の最低水位よりも下方に嫌気濾床が形成されている。また、前記単独処理浄化槽は、沈殿分離室と、接触ばっ気室と、沈殿室と、消毒室とを備えた既設の単独処理浄化槽を用いることができる。さらに、前処理槽は単独処理浄化槽に接続する単独処理浄化槽から汚水を返送する返送配管を配設し、単独処理浄化槽内の汚水を前処理槽に返送する構成を具備する。
【０００６】
【発明の実施の形態】
次に図面を参照して発明の実施の形態を説明する。
本発明の合併処理化装置を構成する単独処理浄化槽は、少なくとも好気処理部を有するものであれば良く、嫌気処理部及び好気処理部を有するものであってもよい。具体的には、従来技術にて説明したように、流入口及び流出口を有し、内部に上流側から沈殿分離室、接触ばっ気室、沈殿室、消毒室を設けたものを好適に用いることができる。
【０００７】
本発明の流量調整機構を有する前処理槽は既設の単独処理浄化槽の上流側に配設され、下流側に汚水を移流する際に移流量を調整する機構、例えばポンプなどの汲み上げ手段により汲み上げ量を調節して単独処理浄化槽への排水の移流量を調整している。ポンプはエアリフトポンプが好適に用いられる。
【０００８】
前処理槽には屎尿排水と台所排水、洗濯排水、洗面・浴室排水等の生活雑排水が流入される構成となっている。
そして、前処理槽において排水は濾床にて嫌気処理が実行される。また、移流量が調整された単独浄化処理槽において好気処理を実行している。
【０００９】
さらに、前処理槽と単独処理浄化槽とは単独処理浄化槽の汚水を搬送する配管が接続されており、単独処理浄化槽の汚水は前処理槽に返送されて、再度嫌気処理され、単独処理浄化槽において好気処理が実行されるので、確実な汚水浄化処理の達成が図られる。また、単独処理浄化槽内の好気処理によって生成された硝化液が前処理槽内に返送されると、嫌気状態にて脱窒反応を起こし脱窒される。
【００１０】
（実施例）
以下図面を用いて、本発明の実施例を説明する。
図１、２は、本発明の一実施例を示す合併処理化装置１００の構成説明図であり、図１は概略側断面図を示し、図２は概略平面図を示す。
【００１１】
合併処理化装置１００は、屎尿排水ａと台所排水、洗濯排水、洗面・浴室排水等の生活雑排水ｂを流入させる前処理槽である第１の処理槽１０と、第１の処理槽１０の下流側に配設する第２の処理槽２０を有する。そして、第２の処理槽２０は、既設の単独処理浄化槽を用いている。
第１の処理槽１０は流入口１１を屎尿配管、生活雑排水管に接続する。流出口１３は連結配管５５を介して第２の処理槽２０の流入口２１に接続している。
第１の処理槽１０は、ポンプ１５を配設し、ポンプ１５で汲み上げた排水を第２の処理槽２０に移送している。
また、第１の処理槽は、ポンプ１５により水面が上下動するが、その最低水位（ＬＷＬ）よりも下方に充填材により濾床を形成させてもよい。充填材（濾材）は、網様円筒状、骨格様球状、板状ヘチマ様、小円筒状、波板状等がある。
【００１２】
第２の処理槽２０は、既設のものを利用する。既設の単独処理浄化槽は内部構造を、少なくとも接触ばっき室、沈殿室、消毒室を備えているものである。図示される単独処理浄化槽は、上流側から流入口２１、沈殿分離室２２、接触ばっ気室２３、沈殿室２４、消毒室２５、流出口２６を設けている。
そして、第２の処理槽２０には第１の処理槽１０に第２の処理槽２０の汚水を返送する返送配管５３を設置し、第１の処理槽１０に連結させている。また、第２の処理槽２０の底部分に堆積する汚泥は定期的に図示しない引き抜き手段により引き抜かれている。
また、単独処理浄化槽が沈殿分離室２２を有する場合には、沈殿分離室２２内に散気手段２７を新設し、空気を供給することによって、好気処理室（ばっ気室）に改造すると、さらに浄化能力を向上させることができる。
【００１３】
次に、水の流れについて説明する。
家庭から排出される屎尿排水ａおよび生活雑排水ｂは、流入口１１から第１の処理槽１０内に流入する。そこで、夾雑物の除去と嫌気分解が実行される。そして、ポンプ１５の稼動により第１の処理槽１０内の排水は汲み上げられて流出口１３から第１の連結配管５１を通って第２の処理槽２０内に流入する。
【００１４】
ポンプ１５で移流量を調節されて移送される排水は、第２の処理槽（単独処理浄化槽）２０の流入口２１から沈殿分離室２２へと流入する。そして、沈殿分離室２２において散気手段２７によって好気処理（すなわち有機物の酸化・分解とアンモニアの硝化）が行われる。そして、接触ばっ気室２３にて同様に好気処理が行われる。接触ばっ気室２３を通過した汚水は、沈殿室２４内でＳＳ（浮遊物質）の沈降分離を行い、消毒室２５にて滅菌処理を行われた後に流出口２６から排出される。
【００１５】
このように構成される合併処理化装置は第２の処理槽として既設の単独処理浄化槽を用いているので、単独処理浄化槽の廃棄問題を解決できると共に、流量調整を実行する第１の処理槽により第２の処理槽（単独処理浄化槽）の処理量が調整されるので、容量が小さい既設の単独処理浄化槽を第２の処理槽として用いても多量となる屎尿と生活雑排水の合併処理が実行できる。
【００１６】
【発明の効果】
本発明は、第１の処理槽を付加するだけで既設の単独処理浄化槽を利用して屎尿と生活雑排水の合併処理を可能とすると共に、単独処理浄化槽を処分し新たな合併処理浄化槽を設置する場合に比較し安価に合併処理を行うことが可能であり、単独処理浄化槽の処分問題を解決できる。
【００１７】
また、第１の処理槽に流量調節機構を持たせることにより、下流側に配設する第２の処理槽（既設の単独処理浄化槽）への排水流入量を規制でき、過負荷をかけることがない。また、第２の処理槽（既設の単独処理浄化槽）に汚水の第１処理槽への返送配管を設けているので、浄化処理が促進し、脱窒も可能となる。
さらに、第１の処理槽内に濾床を配設し、第２の処理槽内に沈殿分離室がある場合、散気手段を配設して沈殿分離室を好気処理室に改造することによって、より高度な処理水を得ることができる。
【００１８】
このように、本発明の合併処理浄化装置は、第１の処理槽での嫌気処理、および流量調節による前処理された汚水が既設の単独処理浄化槽に流入するので、既設の単独処理浄化槽における好気処理が確実に実行でき、装置から排出される処理水は高度な（ＢＯＤ２０ｍｇ／Ｌ以下）処理水質を確保できる。
【図面の簡単な説明】
【図１】本発明の実施の形態例を示す合併処理化装置の概略断面図。
【図２】本発明の実施の形態例を示す合併処理化装置の概略平面図。
【図３】分離接触ばっ気方式の単独処理浄化槽の従来例を示す説明側面図。
【符号の説明】
１０  第１の処理槽
１１  流入口
１００  合併処理化装置
１３  流出口
１４  濾床
１５  ポンプ
２０  第２の処理槽（単独処理浄化槽）
２１  流入口
２２  沈殿分離室
２３  接触ばっ気室
２４  沈殿室
２５  消毒室
２６  流出口
２７  散気手段
５１  連結配管
５３  返送管
１００  合併処理化装置
【図１】
0004364415.tif 000002
【図２】
0004364415.tif 000003
【図３】
0004364415.tif 000004